(57)【特許請求の範囲】
【請求項１】
バックパック本体と、ショルダーストラップと、足穴と、少なくとも一つの輪郭付けストラップと、ペット運搬用乗降台とを備える、ペット運搬用バックパックであって、
前記バックパック本体は、底パネル、前パネル、後パネル、右サイドパネル、左サイドパネルを備え、前記底パネル、前パネル、後パネル、右サイドパネル、左サイドパネルは、共同で内部コンパートメントを形成し、前記バックパック本体は、最上部を更に備え、前記最上部は、開口を形成する首輪を有し、前記開口は、前記内部に配置される動物の首が突き出るように構成され、
前記ショルダーストラップは、前記前パネル上に配置され、前記前パネルから伸びており、
前記足穴は、前記ショルダーストラップの上方および前記首輪の下方に配置され、前記足穴は、前記動物の上肢または下肢を収容するように構成され、
前記少なくとも一つの輪郭付けストラップは、前記バックパックの前記内部コンパートメントを形成するように構成され、
前記ペット運搬用乗降台は、前記底パネル上またはその内部に配置される、ペット運搬用バックパック。
【請求項２】
前記少なくとも一つの輪郭付けストラップは、前記サイドパネルおよび前記背パネルのうちの少なくとも一つに配置される、請求項１に記載のペット運搬用バックパック。
【請求項３】
前記背パネルに配置された垂直ジッパーを更に備え、前記ジッパーは、前記内部コンパートメントに入れること及び前記内部コンパートメントから出すことを容易にし、前記少なくとも一つの輪郭付けストラップの第１水平輪郭付けストラップが前記垂直ジッパーと交差するように配置される、請求項２に記載のペット運搬用バックパック。
【請求項４】
前記右サイドパネル及び前記左サイドパネルは、前記内部コンパートメント内の空気流を促進する為の通気口を備える、請求項１に記載のペット運搬用バックパック。
【請求項５】
前記通気口は、ウェブ付き材料を備える、請求項４に記載のペット運搬用バックパック。
【請求項６】
前記通気口は、前記最上部から前記底パネルまで延びる、請求項４に記載のペット運搬用バックパック。
【請求項７】
前記首輪は、調整可能なストラップを備え、前記最上部は、前記左サイドパネル及び前記右サイドパネルの上方に伸縮可能な部分を備える、請求項１に記載のペット運搬用バックパック。
【請求項８】
前記通気口と少なくとも部分的に重なるポケットを更に備え、前記ポケットは、メッシュ材料から少なくとも部分的に形成される、請求項６に記載のペット運搬用バックパック。
【請求項９】
前記足穴の縁部は、弾性ライナで裏打ちされる、請求項１に記載のペット運搬用バックパック。
【請求項１０】
前記ライナは、ネオプレンまたはポリクロロプレンを備える、請求項９に記載のペット運搬用バックパック。
【請求項１１】
バックパック本体と、ショルダーストラップと、足穴と、少なくとも一つの輪郭付けストラップと、ペット運搬用乗降台とを備える、ペット運搬用バックパックであって、
前記バックパック本体は、内部コンパートメントを形成し、前記内部コンパートメントは、動物を運搬し、前記バックパック本体は、最上部を有し、前記最上部は、開口を形成する首輪を備え、前記開口は、前記内部コンパートメント内の動物の首が突き出るように構成され、
前記ショルダーストラップは、バックパック本体の前側に配置され、前記前側から伸び、
前記足穴は、前記ショルダーストラップの上方および前記首輪の下方にあり、前記動物の上肢または下肢を収容するように構成されたバックパック本体の前側に配置され、
前記少なくとも一つの輪郭付けストラップは、前記バックパックの前記内部コンパートメントを形成するように構成され、
前記ペット運搬用乗降台は、前記底パネル上またはその内部に配置される、ペット運搬用バックパック。
【請求項１２】
前記少なくとも一つの輪郭付けストラップは、前記バックパック本体の後側に配置される、請求項１１に記載のペット運搬用バックパック。
【請求項１３】
前記首輪から下方に伸びる前記バックパック本体の後側を中心とした垂直ジッパーを更に備え、前記垂直ジッパーは、前記内部コンパートメントに入れること及び前記内部コンパートメントから出すことを容易にし、前記少なくとも一つの輪郭付けストラップの第１水平輪郭付けストラップが、前記垂直ジッパーと交差するように配置される、請求項１１に記載のペット運搬用バックパック。
【請求項１４】
前記バックパック本体の右側および左側に配置された通気口を更に備え、前記内部コンパートメント内の空気流を促進する、請求項１１に記載のペット運搬用バックパック。
【請求項１５】
前記通気口は、ウェブ付き材料を備える、請求項１４に記載のペット運搬用バックパック。
【請求項１６】
前記通気口は、前記最上部から前記底パネルまで延びる、請求項１４に記載のペット運搬用バックパック。
【請求項１７】
前記通気口と少なくとも部分的に重なるポケットを更に備え、前記ポケットは、メッシュ材料から少なくとも部分的に形成される、請求項１６に記載のペット運搬用バックパック。
【請求項１８】
前記首輪は、調整可能なストラップおよび伸縮可能な部分を備える、請求項１１に記載のペット運搬用バックパック。
【請求項１９】
前記足穴の縁部は、弾性ライナで裏打ちされる、請求項１１に記載のペット運搬用バックパック。
【発明の詳細な説明】
【関連出願の相互参照】
【０００１】
[0001]本願は、２０１６年１１月２３日に出願された米国仮出願第62/426,137号、２０１６年１１月２９日に出願された米国仮出願第62/427,688に対して優先権を主張し、それぞれの内容は、参考の為に組み込まれる。
【０００２】
【背景】
【０００３】
[0002]多くの人々は、ペットが与えてくれる親交、手助け、および／または友情の為に、ペットを飼うことを楽しみにしている。もちろん、ペットは、飼い主が十分に世話をしてくれることを確認するために、相当な時間と注意を必要とする。時々、ペットの飼い主は、ペットの大きさ、年齢、様々な健康上の問題のためにペットが不可能な旅行、ハイキング、他の活動に参加したいと思うことがある。多くのペットの飼い主は、そのような活動に参加している間、友人の世話または商業用ペットケア施設に彼らのペットを残さないことを好む。それゆえに、そのようなペットの飼い主は、彼ら（彼女ら）が楽しめる活動に参加することを可能にしつつ、そうでなければ一緒に参加することができない彼ら（彼女ら）のペット仲間を連れて行くことができる解決策を必要とする。
【０００４】
【概要】
【０００５】
[0003]したがって、ペットの飼い主が様々な活動にペットを連れて行く必要性を満たすペット運搬用バックパックが提供される。開示された実施形態の一態様によると、ペット運搬用バックパックは、共同で内部コンパートメントを形成する、底パネル、前パネル、後パネル、右サイドパネル、左サイドパネルを有するバックパック本体を含む。バックパック本体は、開口を形成する首輪を備えた最上部も含み、開口を通して、内部に配置される動物の頭を突き出すことができる。首輪は伸縮可能であってもよい。足穴は、動物の前肢または下肢を収容するバックパック本体の前に配置される。ショルダーストラップは、前パネルに配置され、前パネルから伸びている。ペット運搬用乗降台は、底パネル上に配置され、底パネル内部に配置されている。ペット運搬用乗降台は、フレーム部材およびパッド部材を含む。
【０００６】
[0004]一部の実施形態において、ペット運搬用バックパックは、輪郭付けストラップを含み、輪郭付けストラップは、バックパックの内部コンパートメントを成形するように構成されている。輪郭付けストラップは、背パネルおよびサイドパネルのうち少なくとも一つに配置されてもよい。ペット運搬用バックパネルは、背パネルに配置された垂直ジッパーを更に有してもよい。ジッパーは、内部コンパートメントからの出し入れを容易にする。輪郭付けストラップの一つは、垂直ジッパーと交差するように配置されてもよい。
【０００７】
[0005]右サイドパネル及び左サイドパネルは、内部コンパートメント内の空気の流れを容易にする為に通気口を備えてもよい。一部の実施形態において、通気口は、ウェブ付き材料を備えてもよい。通気口は、最上部から底パネルまで延びてもよい。
【０００８】
[0006]更なる実施形態において、ペット運搬用バックパックの首輪は、調整可能なストラップを含む。バックパックの最上部は、左サイドパネル及び右サイドパネル上方に伸縮可能な部分を備えてもよい。
【０００９】
[0007]一部の例において、ペット運搬用乗降台は、内部の大きさを効率良く変更する為に上下動させるように調整可能である。少なくとも２つのジッパーは、ペット運搬用乗降台を下降させる為に開かれるとき、余分の材料を放出させてもよい。少なくとも２つのジッパーは、バックパック本体周りに伸びている。また、ペット運搬用バックパックは、バックパック本体の下方に下部コンパートメントが配置されてもよい。下部コンパートメントは、ペット運搬用乗降台の下降に適応するように、少なくとも２つのジッパーを介してバックパック本体から間隔をあけて配置されてもよい。
【００１０】
[0008]他の例示的実施形態において、ペット運搬用バックパックは、内部を画成するバックパック本体、バックパック本体に接続されたショルダーストラップ、内部の大きさを効率良く変更する為に上下動する調整可能なペット用乗降台を含む。ペット運搬用バックパックは、少なくとも２つのジッパーを含んでもよく、これらは、ペット運搬用乗降台を下降させるために開かれるとき、余分の材料を放出する。少なくとも２つのジッパーは、バックパック本体周りに伸びている。
【００１１】
[0009]また、ペット運搬用バックパックは、バックパック本体の下方に下部コンパートメントが配置されてもよい。下部コンパートメントは、ペット運搬用乗降台の下降に適応する為に、少なくとも２つのジッパーを介してバックパック本体から間隔をあけて配置されてもよい。
【００１２】
[0010]バックパック本体は、底パネル、前パネル、後パネル、右サイドパネル、左サイドパネルを含み、これらが共同で内部コンパートメントを形成してもよい。また、バックパック本体は、内部に配置される動物の頭を突き出すことができる開口を形成する首輪を備えた最上部を有する。首輪は伸縮可能であってもよい。足穴は、バックパック本体の前に配置され、動物の前肢又は下肢を収容するように構成されている。
【００１３】
[0011]一部の実施形態において、ペット運搬用バックパックはウェストストラップがバックパック本体に付けられ、これらのウェストストラップは、使用者の腰周りに伸びるように構成されている。また、それは、バックパック本体の後側に沿って伸びる垂直ジッパーを含んでもよく、垂直ジッパーは、内部からの出し入れを容易にする。
【００１４】
[0012]また、一部の実施形態において、ペット運搬用バックパックは、バックパック本体の側部に通気口が配置されている。通気口は、ウェブ付き材料から形成されてもよい。ペット運搬用バックパックは、通気口と少なくとも部分的に重なるポケットを有してもよい。ポケットは、メッシュ材料から少なくとも部分的に形成されてもよい。
【図面の簡単な説明】
【００１５】
【図１】図１は、一実施形態に従うペット運搬用バックパックの正面図を示す。
【図２】図２は、図１のペット運搬用バックパックの斜視図を示す。
【図３】図３は、図１のペット運搬用バックパックの右側面図を示す。
【図４】図４は、図１のペット運搬用バックパックの左側面図を示す。
【図５】図５は、図１のペット運搬用バックパックの背面図を示す。
【図６】図６は、バックパックの背部が開けられた状態で、図１のペット運搬用バックパックの背面図を示す。
【図７】図７は、バックパックの背部が開けられ、ペット用乗降台が上昇した位置にある、図１のペット運搬用バックパックの背面図を示す。
【図８Ａ】図８Ａは、一実施形態に従うペット運搬用バックパックの為のクリップ及びウェストストラップを示す。
【図８Ｂ】図８Ｂは、一実施形態に従うペット運搬用バックパックの為のクリップ及びウェストストラップを示す。
【図８Ｃ】図８Ｃは、一実施形態に従うペット運搬用バックパックの為のクリップ及びウェストストラップを示す。
【図９】図９は、一つの例示的実施形態に従う、レインフードを備えたペット運搬用バックパックの背面図を示す。
【図１０】図１０は、図９のペット運搬用バックパックの正面図を示す。
【図１１】図１１は、一つの例示的実施形態に従う、ペット用乗降台用昇降機構の拡大図を示す。
【図１２Ａ】図１２Ａは、例示的実施形態に従う、調整可能なペット用乗降台を備えたペット運搬用バックパックを示す。
【図１２Ｂ】図１２Ｂは、例示的実施形態に従う、調整可能なペット用乗降台を備えたペット運搬用バックパックを示す。
【図１３】図１３は、例示的実施形態に従う、図１２Ａ及び図１２Ｂのペット運搬用バックパックの上部の正面図を示す。
【図１４】図１４は、例示的実施形態に従う、図１２Ａ及び図１２Ｂのペット運搬用バックパックの上部の背面図を示す。
【図１５】図１５は、例示的実施形態に従う、クリップオンバッグを備えたペット運搬用バックパックを示す。
【図１６】図１６は、例示的実施形態に従う、図１５のペット運搬用バックパックの側面図を示す。
【図１７】図１７は、一つの例示的実施形態に従う、図１５のペット運搬用バックパックの正面図である。[0031]これらの図の構成部分は、必ずしも縮尺通りではなく、発明の原理を例示することに重点が置かれている。これらの図において、同様の参照符合は、異なる図を通じて、対応する部分を示す。
【実施形態の詳細な説明】
【００１６】
[0032]図１は、一実施形態に従うペット運搬用バックパックの正面図を示す。図１において、ペット運搬用バックパック１０は、中のアイテムを運ぶように形成されたバックパック本体１００から一般的に構成されている。バックパック本体１００は、前パネル１０２，背パネル１０３，サイドパネル１０５，１０７，最上部１０４を備える。バックパック本体１００のパネル１０２，１０３，１０５，１０７および最上部１０４は、別個に形成され、縫合せによって、接着材によって、或いは、生地接合によって、製造工程中に互いに付けられてもよい。他の実施形態において、バックパック本体１００の一つ又は複数のパネル１０２，１０３，１０５，１０７および／または最上部１０４は、単品として形成されてもよい。バックパック本体１００は、現時点で知られた又は後に開発される合成材料または天然材料を含む、任意の適した材料で形成されてもよい。一部の実施形態において、バックパック本体１００は、プラスチックフレーム、金属フレーム、それらの組合せを含んでもよく、一方、他の実施形態において、バックパック本体１００は、フレームレス本体である。フレームは、内部フレームまたは外部フレームでもよい。
【００１７】
[0033]ショルダーストラップ１０８は、前パネル１０２に接続されてもよい。これらは、技術的に知られた適切な方法で、前パネル１０２に固定されてもよい。ショルダーストラップ１０８は、使用者に快適性を与えるように、発泡体のようなパッド入りの材料を備えてもよい。一部の例において、ストラップ１０８は、メッシュ外部カバー及び詰め物におけるビアホールのような通気口を含んでもよい。ショルダーストラップ１０８は、その最上端で、任意に調整可能であってもよい。たとえば、上部シンチ（cinch）ストラップ１１０は、ショルダーストラップ１０８の装着性（fit）を調整する為に最上端に備えられてもよい。ショルダーストラップ１０８は、プラスチックループ１１１を更に含んでもよく、これには、様々なアイテムが、必要に応じて、使用者によって付けられてもよい。他の実施形態において、プラスチック製ループ１１１の代わりに生地ループが備えられてもよい。たとえば、伸縮可能な材料が、ストラップ１０８の一面から他面に伸び、アイテムをストラップ１０８に付け易くしてもよい。また、ストラップ１０８は、高さ調整シンチ１１２を含む胸骨ストラップ１１４を備えてもよい。胸骨ストラップ１１４も、胸骨ストラップ１１４を選択的に固定するようにクリップ１１６を備える。他の実施形態において、フレーム付きカム面のような他の機構が胸骨ストラップ１１４の高さ調整の為に使用されてもよく、フレーム付きカム面は、ストラップの前部に沿って伸び、この前部に沿って、カムフォロワークリップが移動できる。
【００１８】
[0034]ショルダーストラップ１０８は、下端部でストラップ１０８を調整するように、シンチ付き下部シンチストラップ１１８を更に備えてもよい。一部の実施形態において、上部シンチストラップ１１０および下部シンチストラップ１１８は、全体のショルダーストラップ１０８に沿って伸び、様々な地点でショルダーストラップ１０８に接続される単一のストラップを備えてもよい。他の実施形態において、上部シンチストラップ１１０は省略されており、下部シンチストラップ１１８だけが備えられている。
【００１９】
[0035]図２は、図１のペット運搬用バックパックの斜視図を示す。図１および図２に示されるように、前パネル１０２には、幾つかの隆起パッド付き支持部材１３４を含めることができる。隆起支持部材１３４は、使用中、使用者の背中から前パネル１０２を離間させることによって作られる空気の流れと部材１３４内の詰め物との両方を介して、使用者に快適性を与えている。
【００２０】
[0036]図３は、図１のペット運搬用バックパックの右側面図を示し、図４は、左側面図を示す。図３および図４に示されるように、左右のサイドパネル１０５，１０７は、通気口１３６にアクセスを与えるジッパー１３５を含んでいる。通気口１３６は、メッシュ材から形成されてもよく、バックパック１０の内部に通気を可能にする。一部の実施形態において、サイドパネル１０５，１０７は、主にメッシュ材から形成されてもよく、ジッパー１３５は省略されてもよい。
【００２１】
[0037]図５−図７は、図１のペット運搬用バックパックの背面図を示す。図５に示されるように、背パネル１０３は、ジッパー１３８を備える。図６において、ジッパー１３８は、開いた位置にあり、バックパック１０の内部へのアクセスを与える。内部１４０の中には、パネル１０２，１０３，１０５，１０７のうちの一つに付けられた収納コンパートメント１４２があってもよい。
【００２２】
[0038]バックパック１０は、内部１４０の中に配置されたペット用乗降台１４４を備えてもよい。ペット用乗降台１４４は、頑丈なパッド付き部材であり、犬、猫のようなペットが、バックパックの内部１４０の内側に座る、又は立つことを可能にするように構成されている。たとえば、ペット用乗降台１４４は、発泡体から形成されたパッドと、パッドを支持し、乗降台１４４に剛性を与えるフレーム部材とを備えてもよい。図７に示されるように、ペット用乗降台１４４は、内部１４０の中で上下動するように構成されている。図７において、図６に示された乗降台１４４の位置と比較すると、乗降台１４４は、上昇位置にある。そのため、乗降台１４４は、パネル１０２，１０３，１０５，１０７に対して移動するように構成されている。これは、バックパックの内部の大きさを効率的に増減するので、異なる大きさのペットを容易に収容する。
【００２３】
[0039]ペットがバックパック１０の内部で乗降台１４４上に置かれるとき、ペットが内部１４０で安全に保持されるように、ジッパー１３８が再び閉じられてもよい。上部１０４は、そこを通ってペットの頭または上半身が伸びるように、ペットの首または上半身を囲むように構成されている。上部１０４は、ペットの飼い主に向かってペットの前肢を前に伸ばせるように、足穴１４８を含む（図１及び図２）。これにより、ペットに、バックパック１０内で運ばれる間、ペットに安心感を更に与えてもよい。
【００２４】
[0040] ペット用乗降台１４４は、ストラップ１５０によって、バックパックの内部１４０内で上下動されてもよい（図１−図４）。ストラップ１５０は、乗降台１４４の為に安定した支持を与える為に、乗降台１５０の底部の周囲を巻回してもよい。図２−図４に示されるように、たとえば、ストラップ１５０は、サイドパネル１０５，１０７内の開口１５２を通って伸びている。使用者は、開口１５２を通るストラップ１５０を引っ張ることによって、乗降台１４４を上昇させてもよい。乗降台１４４は、ストラップロック機構１５１によって、所定位置にロックされてもよい。一部の実施形態において、乗降台１４４がバックパック１０の底部から離れて上昇するとき、パネル１０２，１０３の内側と乗降台１４４との間にペットの足が滑ることを防止する為に、乗降台１４４は、内部１４０で乗降台１４４から上に延びるメッシュを含んでもよい。バックパック１０内で乗降台を上昇および下降させる為に他の機構も使用可能である。
【００２５】
[0041]最上部１０４は、バックパック１０と共に頑丈かつ快適にペットを固定する特徴を含んでもよい。たとえば、図７に示されるように、伸縮可能なバンド１５３が、バックパック１０の最上部１０４に組み込まれてもよく、これが、図５に示されるように、ストラップ１５４によって調整可能である。ストラップ１５４は、伸縮可能なバンド１５３を形成する為に、最上部１４６内部に弾性部を含んでもよい。ストラップ１５４は、ストラップクリップ１５６によって固定され、調整されてもよい。サイド調整用ストラップ１５８およびシンチ１６０も同様に、内部１４０でペットを固定する為に最上部１４６を輪郭付けしてもよい。
【００２６】
[0042]図８Ａは、一実施形態に従うペット運搬用バックパックの為のクリップを示す。胸骨用ストラップ１１４の為の一つ又は複数のクリップ１１６は、クリップ側に組み入れられたホイッスル１６２を備えてもよい。ホイッスル１６２は、ペットがバックパック１０の中で運搬されていないとき、ペットに信号を与える為に、或いは、安全上の理由の為に、組み入れられてもよい。
【００２７】
[0043]図８Ｂ及び図８Ｃは、ペット運搬用バックパックの為のウェストストラップを示す。バックパック１０は、ウェストストラップ１２２を更に備える。ウェストストラップ１２２は、パッド付き支持部材１２３およびストラップ部材１２４から構成されてもよい（図７）。ウェストストラップ１２２は、クリップ１２６を介して使用者の腰周りに選択的に接続される。ウェストストラップ１２２のパッド付き支持部材１２３は、ジッパーを備え、ポケット１３２にアクセスを与えてもよい。使用者の腰周りに着用されたとき、ポケット１３２は、キー、携帯電話のような小さな個人的アイテムに簡単なアクセスを与えてもよい。
【００２８】
[0044]図９及び図１０は、一実施形態に従う、レインフードを備えたペット運搬用バックパックを示す。図９に示されるように、バックパック１０は、レインフード１６８を含んでもよい。バックパック本体１００は、たとえば、バックパック１０の背パネル１０３に、一つ又は複数のスナップ１６４（図５）を含んでもよい。スナップ１６４は、フード１６８のスナップ１６６に対応してもよい。そのため、フード１６８は、ペットを雨から保護する為に、バックパック１０の最上部１０４に固定されてもよい。
【００２９】
[0045]フード１６８は、フード１６８の前サイドを通って伸びる弾性コード１７０によってペットの頭を覆って所定位置にとどまるように調整されてもよい。弾性コード１７０は、ロック機構１７２によって調整される。一部の実施形態において、フード１６８は、使用されないときの収容の為に、バックパック１０内部に指定コンパートメントを有してもよい。他の実施形態において、フード１６８は、ペット用乗降台１４４の下に収容されてもよい。
【００３０】
[0046]図１２Ａ，図１２Ｂは、例示的実施形態に従う、調整可能なペット用乗降台を備えたペット運搬用バックパックを示す。図１２Ａは、ペット運搬用バックパック２０を示す。ペット運搬用バックパック２０は、前述されたバックパック１０に類似する多くの特徴を共有しているので、同様の特徴の完全な説明は大部分が省略されている。
【００３１】
[0047]ペット運搬用バックパック２０は、ペットが内部で運搬可能な内部コンパートメントを画成するバックパック本体２００から形成される。バックパック１０のように、バックパック２０は、前パネル２０３を有し、この前パネル２０３は、ジッパー２３８を介して分離可能であり、内部コンパートメントへのペットの出し入れを容易にする。
【００３２】
[0048]この実施形態において、サイドパネル２０５，２０７は、ウェブ付き材料から主に構成される。たとえば、ウェブ付き材料は、シリコーンコーティングで被覆されたポリマー糸から形成されてもよい。ウェブ付き材料は、バックパック２０の内部への、ほとんど妨げられない空気の流れを可能にし、その中に乗るペットを涼しく保つことを助ける。サイドポケット２８０は、サイドパネル２０５，２０７にわたって備えられてもよく、水ボトル、スポーツドリンクなどを保持する。サイドポケット２８０は、メッシュ部２８２を有してもよく、ポケットも同様に、ウェブ付き材料を通る空気の流れ、それから、内部への空気の流れを可能にする。すなわち、ポケットのメッシュ材料２８２は、少なくとも部分的にウェブ付きサイドパネル２０５，２０７と重複し、サイドパネル２０５，２０７の実質的な長さに沿って通気性を与える。
【００３３】
[0049]バックパネル２０も同様に、異なる大きさのペットを収容する為の調整可能な乗降台２５０を容易にする。乗降台２５０は、内部コンパートメントの底部において、ジッパー２５２，２５４を介して調整される。ジッパー２５２，２５４を開くことによって、乗降台が下降し、内部コンパートメントの大きさを増加させてもよい。図１２Ｂは、最も低い位置における乗降台付きバックパックを示す。ジッパー２５２，２５４が開かれると、余分の材料２５６が拡張でき、乗降台２５０を下降させ、内部コンパートメントの大きさを増加させる。２つのジッパー２５２，２５４を使用することによって、乗降台は、図１２Ａに示されるように、最も高い位置から、図１２Ｂに示されるように、最も低い位置まで調整可能であり、２つのジッパー２５２，２５４のうちの一つだけが開かれるときには中間位置まで調整可能である。
【００３４】
[0050]追加収容部を与えるため、バックパック２０は、ジッパー開口２９２を介してアクセスされる、下部コンパートメント２９０を含んでもよい（図１２Ａ）。これにより、使用者は、ペットを運搬する間、他のアイテムを収容することができる。下部コンパートメント２９０は、乗降台２５０が最下部位置まで下降する余地を有するように、乗降台２５０から十分に間隔が開けられている（図１２Ｂ）。
【００３５】
[0051]バックパック２０は、バックパック２０を支持する為の内部フレームを備えてもよい。たとえば、アルミニウム梁が、剛性を与える為に、バックパックの内部を通って垂直に延びてもよい。一つ又は複数の内部プラスチックパネルが、バックパック２０の前を形作る為に梁から延びてもよい。同様に、前述されたように、乗降台２５０は、バックパック２０内部のペットの為に安定した剛性のある乗降台を与えるプラスチックフレーム部材とパッドとを備えてもよい。フレーム材料は、本書で前述したアルミニウム及びプラスチック以外の材料を含んでもよい。フレーム材料は、バックパック２０の簡単な使用を促進するため、軽量、耐久性、防水性になるように構成される。
【００３６】
[0052]図１３は、例示的実施形態に従う、ペット運搬用バックパックの上部の正面図を示す。バックパック１０のように、バックパック２０は、足穴２４８を最上部２０４に含み、ペットは、乗り心地良くバックに前肢を通して伸ばすことができる。足穴２４８は、ネオプレンまたはポリクロロプレンで補強され、足穴に弾性を与え、ペットの快適性を高める。
【００３７】
[0053]図１４は、例示的実施形態に従う、ペット運搬用バックパックの上部の背面図を示す。ここに、ネオプレン２４９によって補強された足穴２４８が、再び示されている。さらに、最上部２０４は、最上部２０４の最上端に伸縮可能なバンドまたは首輪２５３を含む。この首輪２５３は、ペットの首または上半身を囲み、内部コンパートメント内部にペットを保つ。ストラップ２５５およびクリップ２５７（図１２Ａ）は、首輪２５３を締めたり、緩めたりする為に使用される。最上部２０４および首輪２５３も同様に、伸縮可能部２６１を含み、この伸縮可能部２６１は、ペットの首または上体周りの首輪２５３の通気性および成形性を更に助ける。ペットがバッグから飛び出さないようにするため、ペットの首輪に付けることができるｄリング２９４も備えられる。
【００３８】
[0054]図１５は、例示的実施形態に従う、クリップオンバッグを備えたペット運搬用バックパックを示す。バックパック３０は、多くの態様でバックパック２０，バックパック１０と類似しているので、簡潔さの為に、ここでは、同様の特徴の詳細な説明は省略する。たとえば、バックパック３０は、ペットを運搬できる内部コンパートメントを画成する本体３００と、ペットの首または上体周りに適合する為に調整可能なストラップ３５５を最上部に備えた首輪３５３とを含む。
【００３９】
[0055]バックパック３０は、クリップオンバッグ４００を更に備える。クリップオンバッグ４００は、様々なバッグに典型的に備えられるような様々なコンパートメントを含む。図１６は、例示的実施形態に従う、ペット運搬用バックパックの側面図を示す。ここで、クリップ３４０がサイドパネル３０７（及び、反対側のサイドパネル）に配置され、これらにクリップオンバッグ４００が付いている。クリップは、バックパック３０およびクリップオンバッグ４００の間の装着性を締めたり、緩めたりするように調整可能である。バックパック２０と同様に、バックパック３０は、ウェブ付きサイドパネル３０７およびメッシュポケット３８０を備える。ウェブ付きサイドパネルは、最上部３０４から底パネル３０６まで延び、実質的にサイドパネル３０７全体に通気性を与える。この図には示されていないが、同様のサイドパネルが反対側にある。
【００４０】
[0056]図１７は、例示的実施形態に従う、ペット運搬用バックパックの正面図である。バックパック３０は、調整可能な輪郭付けクリップ３９６を更に備える。クリップ３９６は、輪郭付けストラップ３９８に付けられ、輪郭付けストラップ３９８は、様々な大きさのペット周りでバックパック３０を適合させ、輪郭付けるように、バックパック３０の大きさを調整する為に、前ジッパー３３８を横切って延びている。
【００４１】
[0057]一部の実施形態において、バックパック３０は、一つ又は複数の細長い保持面３９９を含んでもよく、ここには、付属品が置かれ、この面に含まれる固定媒体によって保持されてもよい。たとえば、保持面３９９がフック又はループを含み、対応する付属品がループ又はフック（互換性のある固定面）を含み、付属品が固定され、しっかりと保持されてもよい。付属品の例は、パッチ、ラベル、ライト、他のアイテムを含み得る。
【００４２】
[0058]本発明の様々な実施形態が説明されてきたが、当業者にとって明らかなことは、本発明の範囲内で、より多くの実施形態および実施例が可能であるということである。さらに、前述された様々な特徴、要素、実施形態は、請求可能であり、どのような組合せ又は配置で組み合わせてもよい。
【図１】
0006756439.tif 000002
【図２】
0006756439.tif 000003
【図３】
0006756439.tif 000004
【図４】
0006756439.tif 000005
【図５】
0006756439.tif 000006
【図６】
0006756439.tif 000007
【図７】
0006756439.tif 000008
【図８Ａ】
0006756439.tif 000009
【図８Ｂ】
0006756439.tif 000010
【図８Ｃ】
0006756439.tif 000011
【図９】
0006756439.tif 000012
【図１０】
0006756439.tif 000013
【図１１】
0006756439.tif 000014
【図１２Ａ】
0006756439.tif 000015
【図１２Ｂ】
0006756439.tif 000016
【図１３】
0006756439.tif 000017
【図１４】
0006756439.tif 000018
【図１５】
0006756439.tif 000019
【図１６】
0006756439.tif 000020
【図１７】
0006756439.tif 000021